(57)【要約】【課題】作業足場の構築時にあって、階段を単一スパンで架設する場合と連続スパンで架設する場合の両方で使用することが可能な階段手摺りを提供すること。【解決手段】クサビ緊結式の作業足場を構成する支柱間に設置する階段手摺りであって、棒状の本体部と、前記本体部の下端側に設けて一方の支柱の取付孔にクサビ固定する、下側取付部と、前記本体部の上端側に設けて他方の支柱の取付孔に係止する、上側取付部と、を少なくとも含んで構成する。そして、前記下側取付部には規制手段を設けておき、前記取付孔へのクサビ固定時に前記取付孔内での前記下側取付部のずれ動きを規制する。【選択図】図５
2018021419.tif 000002
【特許請求の範囲】
【請求項１】
クサビ緊結式の作業足場を構成する支柱間に設置する階段手摺りであって、
前記支柱は、該支柱の側方へと張り出してなり、上下に貫通する取付孔を有する連結部、を少なくとも含み、前記取付孔は、下層側からの階段手摺りと、上層側からの階段手摺りと、を前記連結部の張り出し方向に並べて配置可能な形を呈しており、
前記階段手摺りは、
棒状の本体部と、
前記本体部の下端側に設けて一方の支柱の取付孔にクサビ固定する、下側取付部と、
前記本体部の上端側に設けて他方の支柱の取付孔に係止する、上側取付部と、を少なくとも含み、
前記下側取付部は、
前記取付孔へのクサビ固定時に、前記取付孔内での前記下側取付部のずれ動きを規制する、規制手段、を少なくとも有することを特徴とする、
階段手摺り。
【請求項２】
前記下側取付部は、
前記連結部を上下から挟み込み、上下に貫通する挿通空間を有する、狭持体と、
前記挿通空間を介して前記取付孔へと差し込み可能な、クサビ体と、
前記狭持体から突出するように位置する、突出体と、を少なくとも備え、
前記突出体が、前記規制手段として機能することを特徴とする、
請求項１に記載の階段手摺り。
【請求項３】
前記狭持体および突出体が略コ字状の部材であり、
前記狭持体の凹部への前記突出体の凹部の嵌合によって一体化してあることを特徴とする、
請求項２に記載の階段手摺り。
【請求項４】
前記上側取付部は、
前記連結部に係止する、フック体と、
前記フック体から側方へと突出するように位置する、干渉体と、を少なくとも備え、
前記取付孔への係止時に、前記干渉体が、前記上側取付部の前記取付孔内でのずれ動きを抑制することを特徴とする、
請求項１乃至３のうち何れか１項に記載の階段手摺り。
【請求項５】
請求項１乃至４のうち何れか１項に記載の階段手摺りを用いた作業足場の使用方法であって、
作業足場の構築時には、下層側から、上層側に前記階段手摺りおよび階段を設置してから、上層への移動を行うことを特徴とする、
作業足場の使用方法。
【請求項６】
請求項１乃至４のうち何れか１項に記載の階段手摺りを用いた作業足場の使用方法であって、
作業足場の解体時には、上層から下層に移動した後、下層側から、下層と上層を繋ぐ階段手摺りおよび階段を撤去することを特徴とする、
作業足場の使用方法。
【請求項７】
前記階段手摺りを、平面視して階段の内側方向へと張り出した連結部に取り付けることを特徴とする、
請求項５または６に記載の作業足場の使用方法。
【発明の詳細な説明】
【技術分野】
【０００１】
本発明は、クサビ緊結式の作業足場に用いる階段手摺りおよびその使用方法に関する。
【背景技術】
【０００２】
クサビ緊結式の作業足場に用いる階段手摺りとして、以下の特許文献１に記載の発明がある。
図８は、従来の階段手摺りを示す概略図である。（ａ）は一部側面図、（ｂ）は一部平面図である。
図８に示すように、特許文献１に記載の階段手摺りは、棒状の手摺り本体ａと、手摺り本体ａの上方端に設けた掛止フックｂと、手摺り本体ａの下方端に設けたコ字枠ｃ１およびロックピンｃ２からなる固定金具ｃから構成している。
そして、この階段手摺りは、階段を連続スパンで架設する際に、支柱ｄに設けたフランジｅの同じ楔孔ｅ１に、掛止フックｂとロックピンｃ２とが並んで挿通できるように構成することで、複数本連続する階段手摺りを簡単容易に設置することができることを主題としている。
【先行技術文献】
【特許文献】
【０００３】
【特許文献１】特許第５６８９２７９号公報
【発明の概要】
【発明が解決しようとする課題】
【０００４】
しかし、上記特許文献１に記載の階段手摺りの場合、階段を単一スパンで施工する現場で使用すると、支柱ｄに設けた連結部ｅの楔孔ｅに遊びｆのある状態でロックピンｃ２が挿通された状態となる。
すると、この遊びｆによって階段手摺りが楔孔ｅ１の中でずれ動いてしまい、作業員の安全性確保に支障が生じる場合があった。
そこで、上記特許文献１に記載の階段手摺りは、あくまで階段を連続スパンで設置する場合の使用に限られる、という難点があった。
【０００５】
よって、本発明は、作業足場の構築時にあって、階段を単一スパンで架設する場合と連続スパンで架設する場合の両方で使用することが可能な階段手摺りの提供等を目的とするものである。
【課題を解決するための手段】
【０００６】
上記課題を解決すべくなされた、本願の第１発明は、クサビ緊結式の作業足場を構成する支柱間に設置する階段手摺りであって、前記支柱は、該支柱の側方へと張り出してなり、上下に貫通する取付孔を有する連結部、を少なくとも含み、前記取付孔は、下層側からの階段手摺りと、上層側からの階段手摺りと、を前記連結部の張り出し方向に並べて配置可能な形を呈しており、前記階段手摺りは、棒状の本体部と、前記本体部の下端側に設けて一方の支柱の取付孔にクサビ固定する、下側取付部と、前記本体部の上端側に設けて他方の支柱の取付孔に係止する、上側取付部と、を少なくとも含み、前記下側取付部は、前記取付孔へのクサビ固定時に、前記取付孔内での前記下側取付部のずれ動きを規制する、規制手段、を少なくとも有することを特徴とするものである。
また、本願の第２発明は、前記第１発明において、前記下側取付部は、前記連結部を上下から挟み込み、上下に貫通する挿通空間を有する、狭持体と、前記挿通空間を介して前記取付孔へと差し込み可能な、クサビ体と、前記狭持体から突出するように位置する、突出体と、を少なくとも備え、前記突出体が、前記規制手段として機能することを特徴とするものである。
また、本願の第３発明は、前記第２発明において、前記狭持体および突出体が略コ字状の部材であり、前記狭持体の凹部への前記突出体の凹部の嵌合によって一体化してあることを特徴とするものである。
また、本願の第４発明は、前記第１発明乃至第３発明のうち何れか１つに記載の発明において、前記上側取付部は、前記連結部に係止する、フック体と、前記フック体から側方へと突出するように位置する、干渉体と、を少なくとも備え、前記取付孔への係止時に、前記干渉体が、前記上側取付部の前記取付孔内でのずれ動きを抑制することを特徴とするものである。
また、本願の第５発明は、前記第１発明乃至第４発明のうち何れか１つに記載の階段手摺りを用いた作業足場の使用方法であって、作業足場の構築時には、下層側から、上層側に前記階段手摺りおよび階段を設置してから、上層への移動を行うことを特徴とするものである。
また、本願の第６発明は、前記第１発明乃至第４発明のうち何れか１つに記載の階段手摺りを用いた作業足場の使用方法であって、作業足場の解体時には、上層から下層に移動した後、下層側から、下層と上層を繋ぐ階段手摺りおよび階段を撤去することを特徴とするものである。
また、本願の第７発明は、前記第５発明または第６発明において、前記階段手摺りを、平面視して階段の内側方向へと張り出した連結部に取り付けることを特徴とするものである。
【発明の効果】
【０００７】
本発明によれば、以下に記載する効果のうち少なくとも何れか１つの効果を奏する。
（１）階段手摺りのずれ動きを抑制する。
下側取付部に規制手段を設けておくことにより、下側取付部を取付孔へクサビ固定した際に、前記下側取付部を位置決めすることができる。
よって、階段を単一スパンで架設する場合でもっても、階段手摺りのずれ動きを抑制し、作業員の安全性を確保することができる。
また、上側取付部に干渉体を設けておけば、階段手摺りをさらに確実に位置決めして、より階段手摺りのずれ動きを抑制することができる。
（２）階段の単一スパン施工・連続スパン施工での兼用が可能である。
規制手段や干渉体は、同一の取付孔に取り付けられる別体の階段手摺りと干渉しないため、階段を連続スパンで架設する現場でも、本発明に係る階段手摺りを使用することができる。
（３）製作コストを抑えることができる。
下側取付部を、狭持体、クサビ体および突出体とで構成し、突出体を規制手段として機能するように構成することで、狭持体およびクサビ体を備えている先行手摺りなどで用いる筋交い（斜材）用の部材やその他の手摺り材、繋ぎ材を流用して階段手摺りを製作することができる。
また、前記狭持体および突出体を略コ字状の部材とし、これらを嵌めあわせて一体化した構造とすると、流用元の狭持体への加工が少ない点でより好ましい。
（４）作業員の安全性の向上に寄与する。
足場の構築時および解体時の両方において、下層側から階段手摺りの設置および取り外しが可能であるため、階段手摺りの無い階段を作業員が昇り降りする必要が無くなる。
【図面の簡単な説明】
【０００８】
【図１】本実施例に係る階段手摺りを用いた作業足場の概略図。
【図２】本実施例で使用する支柱の概略断面図。
【図３】本実施例に係る階段手摺りの全体構成図。
【図４】下側取付部の概略分解図。
【図５】下側取付部を支柱にクサビ固定している状態の概略図。
【図６】上側取付部の概略図。
【図７】上側取付部を支柱に係止している状態の概略図
【図８】従来の階段手摺りを示す概略図。
【発明を実施するための形態】
【０００９】
以下、図面を参照しながら、本発明の実施例について説明する。
【実施例】
【００１０】
＜１＞作業足場の構成
図１に、作業足場の構成を示す。
図１に示すクサビ緊結式の作業足場は、ジャッキベースＡ、支柱Ｂ、支柱Ｂ間に架設する繋ぎ材Ｃおよび先行手摺りＤや、繋ぎ材Ｃに係止する布板Ｅ、布板Ｅの周囲に設置する幅木Ｆなどの部材などによって構成する。
そして、この作業足場に上下層を繋ぐ階段Ｇを設ける際には、階段Ｇを受ける為の階段受けＨや、階段Ｇの側方で支柱Ｂ間に架設する階段手摺りＩなどを設置している。
【００１１】
＜２＞支柱
支柱Ｂは、該支柱Ｂの長手方向に所定間隔を設けて、繋ぎ材Ｃ、先行手摺りＤ、階段手摺りＩなどを取り付けるための連結部２０を有している。
この連結部２０は、平板の上下に貫通する取付孔を設けた態様（フランジ式）や、上下に開口した筒の内部を取付孔とした態様（ポケット式）など、公知の態様を採用することができる。
【００１２】
図２に、本実施例で使用する支柱の概略断面図を示す。
本実施例の支柱Ｂは、前記したフランジ式を採用しており、管材１０の側面の四方へと十字形状に張り出した平板からなる連結部２０を設けている。各連結部２０には、上下に貫通する取付孔２１を形成している。この取付孔２１に、繋ぎ材Ｃ、先行手摺りＤ、階段手摺りＩなどを取り付けることができる。
【００１３】
＜２．１＞取付孔
取付孔２１は、後述する下側取付部４０と上側取付部５０とを、連結部２０の張出方向に並べて配置可能な程度の開口長Ｌを呈している。これは、階段Ｇを連続スパンで設置する際に、１つの取付孔２１に、下層側からの上側取付部５０と、上層側から下側取付部４０とが取り付けられるためである。
【００１４】
＜２．２＞その他の形状
その他、連結部２０には、取付孔２１への差し込みを案内するために下方へ傾斜したテーパ２２や、フランジ平面から一段下げた段差面２３などを形成している。これらは公知の技術であるため、詳細な説明は省略する。
【００１５】
＜３＞階段手摺り
階段手摺りＩは、作業足場を構成する支柱Ｂ間に所定の傾斜角度を設けて設置することで、階段を昇降する作業員の手摺りを構成する部材である。
より詳しくは、階段手摺りＩは、繋ぎ材Ｃや階段受けＨ間に架設する階段Ｇの側方の片側または両側に位置するように、支柱Ｂ間に設置し、支柱Ｂに設けた連結部２０に係止またはクサビ固定して、所定の傾斜角度を呈するように設置する。
【００１６】
そして、本発明に係る階段手摺りＩは、前記した作業足場の構築において、作業員による支柱Ｂへの着脱作業を、下層側から実施可能としたことを特徴の１つとしている。以下、本発明に係る階段手摺りＩの詳細について説明する。
【００１７】
＜３．１＞全体構成
図３に、本実施例に係る階段手摺りの全体構成図を示す。
本実施例に係る階段手摺りＩは、主として、本体部３０、下側取付部４０、および上側取付部５０によって構成する。以下、各部材の詳細について説明する。
【００１８】
＜３．２＞本体部
本体部３０は、作業員が階段を昇降する際の手摺り部分となる部材である。
本体部３０は、鋼管、鋼棒などの公知の長尺部材を用いることができ、詳細な説明は省略する。
【００１９】
＜３．３＞下側取付部
下側取付部４０は、本体部３０の下層側の端部に設ける部材である、
下側取付部４０は、架設する両支柱のうち一方の支柱Ｂに設けた連結部２０にクサビ固定するための機構を備えている。
また、下側取付部４０は、前記一方の支柱Ｂへのクサビ固定時に、前記連結部内で下側取付部４０のずれ動きを規制する手段（規制手段）を備えている。
【００２０】
図４に、下側取付部の概略分解図を示す。（ａ）は突出体および狭持体の概略平面図、（ｂ）は突出体および狭持体の概略側面図、（ｃ）はクサビ体の概略側面図である。
本実施例での下側取付部４０は、大別して、狭持体４１と、クサビ体４２と、突出体４３、によって構成する。そして、前記突出体４３が前記規制手段として機能する。以下、各部材の詳細について説明する。
【００２１】
＜３．３．１＞狭持体
狭持体４１は、支柱Ｂの連結部２０を挟みこむ為の部材である。
狭持体４１は、側面視してコ字状の部材からなり、その窪んだ部分（凹部４１１）に、支柱Ｂの連結部２０を収容して挟み込むものとする。
狭持体４１は、上下に貫通する挿通空間４１２を設けており、この挿通空間４１２にクサビ体４２を上下に移動可能な状態で収容している。
その他、狭持体４１には、収容したクサビ体４２の抜け落ちを防止するために内側へと折曲してクサビ体４２に干渉する抜け止め部４１３や、挿通空間９２１１内でのクサビ体４２の移動軌跡を案内するガイドピン４１４を設けている。
【００２２】
＜３．３．２＞クサビ体
クサビ体４２は、支柱Ｂの連結部２０にクサビ固定するための部材である。
クサビ体４２は、連結部２０の取付孔２１に挿通して打ち込まれる前爪部４２１と、前記狭持体４１の挿通空間４１２をクサビ体４２が上下に移動する際のスライド部４２２とを有している。
前爪部４２１は、下端に向けて狭くなるようにテーパを設けて取付孔２１へのクサビとなるように構成する。
スライド部４２２の下端は鉤状を呈しており、ガイドピン４１４によって摺動方向が規制されたスライド部４２２は、抜け止め部４１３に鉤部分が干渉して、クサビ体４２の抜け出しを防止するよう構成する。
【００２３】
＜３．３．３＞突出体
突出体４３は、前記規制手段として機能するための部材である。
突出体４３は、狭持体４１から突出するよう構成し、支柱Ｂへのクサビ固定時に、下側取付部４０が取付孔２１内でずれ動きすることを防止する機能を有する。
突出体４３の取付孔２１内でのずれ動きを防止するにあたり、突出体４３がいずれの部材と干渉することによってかは、支柱Ｂと連結部２０のサイズ比などによって異なる。なお、本実施例では、突出体４３と干渉する部材は、クサビ固定してある連結部２０と隣接する別体の連結部２０である。
【００２４】
本実施例では、突出体４３を平面視して略コ字状の部材で構成している。この突出体４３の凹部４３１と、前記狭持体４１の凹部とを嵌めあわせることで、両者を一体化している。
また、本実施例に係る突出体４３の先端面４３２は、前記支柱Ｂの連結部２０の連絡辺２４の曲線形状に対応する形状を呈している。
【００２５】
＜３．３．４＞支柱への取付状態
図５は、下側取付部を支柱にクサビ固定している状態の概略図である。（ａ）は、下側取付部周辺の一部正面図であり、（ｂ）は、下側取付部周辺の拡大平面図である。
下側取付部４０は、支柱の側方に十字形状に伸びる４つの連結部のうち、作業足場の前後方向に伸びる連結部のうちの何れか一方の連結部に、クサビ固定している。
前述したとおり、連結部２０の取付孔２１は、階段Ｇを連続スパンで設ける際に必須となる下側取付部４０と上側取付部５０とを並べて配置するための開口長Ｌを呈している。
よって、階段Ｇを単一スパンで設ける際には、この取付孔２１に下側取付部４０が取り付けられるため、取付孔２１内に余空間２１１が生まれることとなる。
しかし、この余空間２１１に沿って下側取付部４０が連結部内で側方向（横方向）にずれ動こうとしても、前記突出体４３が取付対象の連結部２０（２０ａ）に隣接する連結部２０（２０ｂ）とほぼ接する状態となるため、取付孔２１内のずれ動きが規制されることになる。
【００２６】
さらに、本実施例では、前記連結部２０同士を繋ぐ連絡辺２４が曲線形状を呈しており、突出体４３の先端面４３２も、前記連絡辺２４の曲線形状に対応する形状を呈している。
このような形状とすることで、下側取付部４０と連結部２０の接触面積を増やして、楔固定の安定性を高めることができる。
【００２７】
＜３．４＞上側取付部
上側取付部５０は、本体部３０の上層側の端部に設ける部材である、
上側取付部５０は、架設する両支柱のうち他方の支柱Ｂに設けた連結部２０に係止するための係止機構を備えている。係止機構は公知の構造を採用することができる。
【００２８】
図６に、本実施例に係る上側取付部の構成の概略図を示す。（ａ）は概略平面図、（ｂ）は概略正面図である。
本実施例では、上側取付部５０を、鉤状のフック体５１と、フック体５１の凹部に側方へと突出するように取り付けた干渉体５２と、で構成している。
【００２９】
＜３．４．１＞フック体
フック体５１は、支柱Ｂの連結部２０へと係止するための部材である。
本実施例に係るフック体５１は、先端を鉤状に形成した鉤部５１１と、連結部２０の上面と接触する接触面５１２と、前記接触面５１１の後方で、上方に段差を形成してなる余部形成面５１３と、を備えている。
【００３０】
＜３．４．２＞干渉体
干渉体５２は、フック体５１を、支柱Ｂの連結部２０の所定位置に留めておくための部材である。
干渉体５２は、連結部２０の張出方向と同じ方向へと張り出す様に、フック体５１の鉤部５１１に取り付けてある。
干渉体５２の長さは、連結部２０の取付孔２１の開口長よりも短くし、同一の取付孔２１に下側取付部４０を並べて配置する際に、クサビ体４２の挿通の障害にならない程度としておく。当該構成による作用効果は後述する。
【００３１】
＜３．４．３＞支柱への取付状態
図７は、上側取付部５０を支柱に係止している状態の概略図である。（ａ）は、下側取付部周辺の一部正面図であり、（ｂ）は、下側取付部周辺の拡大平面図である。
上側取付部５０は、支柱の側方に十字形状に伸びる４つの連結部２０のうち、作業足場の前後方向に伸びる連結部のうちの何れか一方の連結部２０（２０ａ）に、係止している。
フック体５１は、余部形成面５１３を有することで、上側取付部５０の脱着時における、フック体５１と連結部２０との干渉を抑制している。
干渉体５２は、取付孔２１の内側壁や、管材１０の外周面と当接することにより、上側取付部のずれ動きを最小限に抑えることができる。
【００３２】
＜４＞まとめ
このように、本実施例に係る階段手摺りは、下側取付部４０に設けた突出体４３や、上側取付部５０に設けた干渉体５２でもって、階段Ｇを単一スパンで設置する際にも、階段手摺りのずれ動きを抑制することができる。
また、本実施例に係る階段手摺りを、階段Ｇを連続スパンで設置する現場で使用するときにも、前記突出体４３や干渉体５２が、同一の取付孔に取り付けられる別体の階段手摺りの脱着の邪魔になることもない。
【００３３】
＜５＞作業足場での使用方法
次に、再度図１を参照しながら、作業足場の構築時・解体時における、本発明に係る階段手摺りの使用方法について説明する。
【００３４】
＜５．１＞作業足場の構築方法
再度図１を参照しつつ、作業足場の構築手順を簡略すると、以下の通りとなる。なお、これらの手順は、作業に矛盾が無く、安全性を確保できる範囲で適宜順番を入れ換えて実施することができる。
（Ｓ１００）所定間隔を空けて、ジャッキベースＡを設置する。
（Ｓ１１０）ジャッキベースＡに支柱Ｂを接続する。
（Ｓ１２０）支柱Ｂ間に繋ぎ材Ｃを配置する。
（Ｓ１３０）繋ぎ材Ｃの水平をとるように各支柱Ｂの高さをジャッキベースＡで調整し、繋ぎ材Ｃを支柱Ｂにクサビ固定する。
（Ｓ１４０）先行手摺りＤを支柱間Ｂに架設する。
（Ｓ１５０）上層の繋ぎ材Ｃおよび先行手摺りＤを下層から設置する。
（Ｓ１６０）上層の布板Ｅおよび幅木Ｆを、下層から設置する。
（Ｓ１７０）上層につながる階段Ｇを用いて下層から設置する。階段Ｇは、繋ぎ材Ｃや、支柱の梁間方向に架設する階段受けＨに係止する。
（Ｓ１８０）下層から、階段Ｇの側方に階段手摺りＩを設置する。
（Ｓ１９０）作業員が上層に移動する。
（Ｓ２００）設置済みの支柱Ｂに新たな支柱Ｂを接続する。
このように、上記（Ｓ１２０）〜（Ｓ２００）のステップを繰り返すことで、作業足場を上方に構築していく。
【００３５】
本発明に係る方法では、上記手順（Ｓ１７０〜Ｓ１９０）のように、作業員は下層にいる状態から階段手摺りＩを設置することができるため、上層に移動すべく階段を昇る際に、作業員が危険にさらされることがない。
また、本実施例に係る階段手摺りＩは、突出体４３からなる規制手段を狭持体４１の両側に設けているため、作業足場の前踏み側と後踏み側、階段の進行方向の何れを問わずに、設置が可能である。
よって、常に平面視して階段Ｇの内側方向の連結部２０へと階段手摺りＩを設置できることになり、作業員の安全性の確保にも寄与する。
【００３６】
＜５．２＞作業足場の解体手順
作業足場の解体時には、上記＜５．１＞の手順を逆に進めていけばよい。
すなわち、本発明に係る方法では、作業員は階段手摺りＩが残存している状態で上層から下層に移動してから、階段手摺りＩを撤去することができるため、作業員が危険にさらされることがない。
【符号の説明】
【００３７】
Ａ      ジャッキベース
Ｂ      支柱
１０    管材
２０    連結部
２１    取付孔
２２    テーパ
２３    段差面
２４    連絡辺
Ｃ      繋ぎ材
Ｄ      先行手摺り
Ｅ      布板
Ｆ      幅木
Ｇ      階段
Ｈ      階段受け
Ｉ      階段手摺り
３０    本体部
４０    下側取付部
４１    狭持体
４１１  凹部
４１２  挿通空間
４１３  抜け止め部
４１４  ガイドピン
４２    クサビ体
４２１  前爪部
４２２  スライド部
４３    突出体
４３１  凹部
４３２  先端面
５０    上側取付部
５１    フック体
５１１  鉤部
５１２  接触面
５１３  余部形成面
５２    干渉体
ａ      手摺り本体
ｂ      掛止フック
ｃ      固定金具
ｃ１    コ字枠
ｃ２    ロックピン
ｄ      支柱
ｅ      フランジ
ｅ１    楔孔
ｆ      遊び
【図１】
2018021419.tif 000003
【図２】
2018021419.tif 000004
【図３】
2018021419.tif 000005
【図４】
2018021419.tif 000006
【図５】
2018021419.tif 000007
【図６】
2018021419.tif 000008
【図７】
2018021419.tif 000009
【図８】
2018021419.tif 000010